(57)【要約】  本発明は、結果的に冊子体になる材料を受け取るとすぐに、複数の基本設定についての１組の値によって、印刷ジョブを印刷するための少なくとも１つのプリンタであって、前記値が印刷ジョブに関連している、少なくとも１つのプリンタと、基本設定の１組の値に応じて、少なくとも１つのプリンタによって印刷ジョブを印刷するために、印刷ジョブを制御するための制御手段と、印刷ジョブについての設定の視覚表示を画面上に表示し、かつ印刷ジョブについての基本設定の値を起動するための表示手段および起動手段とを備える複写システムに関し、各カテゴリー設定が冊子体の態様を指示しており、複数の基本設定に対して１組の値を決定する所定のカテゴリー選択を含む複数のカテゴリー設定を定義するように制御手段が構成され、カテゴリー設定に対する前記カテゴリー選択が、共に完全に冊子体を説明し、表示手段および起動手段が、完全な複数のカテゴリー設定を同時に表示するように構成され、各カテゴリー設定が対応するカテゴリー選択を示す、複写システムに関する。  本発明は、また、完全な冊子体を説明する複数の印刷態様によって、複写システム上の印刷ジョブを印刷して、結果的に冊子体をもたらす方法に関する。
2014514184.tif 000002
【特許請求の範囲】
【請求項１】
結果的に冊子体になる材料を受け取るとすぐに、複数の基本設定についての１組の値によって、印刷ジョブを印刷するための少なくとも１つのプリンタであって、前記値が印刷ジョブに関連している、少なくとも１つのプリンタと、
基本設定の１組の値に応じて、少なくとも１つのプリンタによって印刷ジョブを印刷するために、印刷ジョブを制御するための制御手段と、
印刷ジョブについての設定の視覚表示を画面上に表示し、かつ印刷ジョブについての基本設定の値を起動するための表示手段および起動手段と
を備える複写システムであって、
各カテゴリー設定が冊子体の態様を指示し、複数の基本設定に対して１組の値を決定する所定のカテゴリー選択を含む複数のカテゴリー設定を定義するように制御手段が構成され、カテゴリー設定に対する前記カテゴリー選択が、共に完全に冊子体を説明し、
表示手段および起動手段が、完全な複数のカテゴリー設定を同時に表示するように構成され、各カテゴリー設定が対応するカテゴリー選択を示す、複写システム。
【請求項２】
各カテゴリー設定が、カテゴリー選択の選択リストを含む、請求項１に記載の複写システム。
【請求項３】
表示手段および起動手段が、カテゴリー設定に関連する所定のカテゴリー選択のアイコンによって、各カテゴリー設定を１つのウィンドウ上に表示するように構成されている、請求項２に記載の複写システム。
【請求項４】
表示手段および起動手段が、ユーザコマンドにより、１つのウィンドウに複数の基本設定を表示するように構成されている、請求項１から請求項３のいずれか一項に記載の複写システム。
【請求項５】
カテゴリー設定のアイコンを起動するとき、表示手段および起動手段が、ユーザコマンドにより、カテゴリー設定の選択リストを示し、示された選択リストからカテゴリー選択を起動するように適合されている、請求項３に記載の複写システム。
【請求項６】
表示手段および起動手段が、ユーザコマンドにより、１つのウィンドウに選択されたカテゴリー選択および複数の基本設定を同時に表示するように適合されている、請求項１から請求項５のいずれか一項に記載の複写システム。
【請求項７】
表示手段および起動手段が、現在の基本設定の値を保存することによって、新しいカテゴリー選択を生成するように構成されている、請求項１から請求項６のいずれか一項に記載の複写システム。
【請求項８】
１つのカテゴリー設定が、冊子体の媒体、割付け、画像、仕上げおよび送出から一印刷態様を指示する、請求項１から請求項７のいずれか一項に記載の複写システム。
【請求項９】
完全な冊子体を説明する複数の印刷態様によって、複写システム上の印刷ジョブを印刷して、結果的に冊子体をもたらす方法であって、
ａ）複写システムで、印刷ジョブ、および印刷ジョブに関連する基本設定の値を受信するステップと、
ｂ）複数のカテゴリー選択を含むカテゴリー設定によって、冊子体の各印刷態様を表示するステップと、
ｃ）印刷ジョブの基本設定の値に対応するカテゴリー選択を各カテゴリー設定に対して定義するステップと、
ｄ）カテゴリー設定および対応するカテゴリー選択を同時に表示するステップと、
ｅ）現在のカテゴリー選択によって、印刷ジョブを印刷するステップと
を含む方法。
【請求項１０】
カテゴリー設定を起動し、選択リストからカテゴリー選択を起動することにより、カテゴリー選択の選択リストを表示する追加のステップを含む、請求項９に記載の方法。
【請求項１１】
ユーザコマンドにより、カテゴリー設定のカテゴリー選択を変更し、保存するステップを含む、請求項９から請求項１０のいずれか一項に記載の方法。
【請求項１２】
現在の基本設定の値を保存することによって、新しいカテゴリー選択を生成するステップを含む、請求項９から請求項１１のいずれか一項に記載の方法。
【発明の詳細な説明】
【技術分野】
【０００１】
本発明は、結果的に冊子体になる材料を受け取るとすぐに、複数の基本設定についての１組の値によって、印刷ジョブを印刷するための少なくとも１つのプリンタであって、前記値が印刷ジョブに関連している、少なくとも１つのプリンタと、基本設定の１組の値に応じて、少なくとも１つのプリンタによって印刷ジョブを印刷するために、印刷ジョブを制御するための制御手段と、印刷ジョブについての設定の視覚表示を画面上に表示し、印刷ジョブについての基本設定の値を起動するための表示手段および起動手段とを備える複写システムに関する。
【背景技術】
【０００２】
コピーおよび印刷装置が、現在の印刷ジョブまたは待ち行列から選択された印刷ジョブの基本設定用アイコンを表示するタッチスクリーンを備えると説明されるこの種の複写システムは周知である。印刷ジョブの基本設定は、複写システムによって印刷される冊子体を決定する。一方、複写システムは、例えば、基本設定を表示する画面を備えるプリンタドライバなど、アプリケーションを備えるワークステーションを備えることができる。多数の基本設定が利用可能である場合、多数のアイコンが必要である。そのとき、ユーザは、選択をしなければならない多量の視覚情報に直面する。通常、これらのアイコンは同時に表示されないが、しかし、画面上の選択可能なタブの後ろにある。その場合、更にユーザは、各タブを選択するために、異なる表示ウィンドウの間をナビゲートしなければならないであろう。このことによって、ユーザが、作成されており、かつなお作成可能な設定の全体像をもはや把握していない危険性が高まる。加えて、異なるウィンドウの間をナビゲートするために、ユーザは追加の操作を実行しなければならない。ユーザという表現に対して、操作者と解釈してよい。
【発明の概要】
【課題を解決するための手段】
【０００３】
本発明による複写システムがこれらの不都合を事前に回避し、その複写システムでは、各カテゴリー設定が冊子体の態様を指示しており、複数の基本設定に対して１組の値を決定する所定のカテゴリー選択を含む複数のカテゴリー設定を定義するように制御手段が構成され、カテゴリー設定に対する前記カテゴリー選択が、共に完全に冊子体を説明し、表示手段および起動手段が、完全な複数のカテゴリー設定を同時に表示するように構成され、各カテゴリー設定が対応するカテゴリー選択を示す。
【０００４】
多くの基本設定は、所望の冊子体を定義する必要がある。ユーザにとって定義を容易にするために、所定のカテゴリー選択によって、表示手段および起動手段に表示されるカテゴリー設定の中間的な層が生成されてきた。各カテゴリー設定は、冊子体の特定の態様を説明している。各カテゴリー設定は、そのカテゴリーに対して少なくとも１つの可能な選択肢を備える。カテゴリー選択は、２つ以上の基本設定に影響を及ぼす場合がある。例えば、小冊子のカテゴリー選択は２ページを１ページに印刷する、両面、片面、折り畳み、ステープルおよびページの順番という基本設定に影響を及ぼす場合がある。そうすることによって、すべての基本設定が、複数の基本設定よりもはるかに数が少ない複数のカテゴリー選択を備えられる。カテゴリー選択は、少数のカテゴリー設定に分割される。カテゴリー設定が冊子体の特定の態様を表すので、ユーザは、通常、所望のカテゴリー選択が関連しているカテゴリー設定を知っている。カテゴリー設定に属するカテゴリー選択の数が、基本設定の総数に比較するとそれ程大きくないので、所望のカテゴリー選択は、カテゴリー設定に関連するカテゴリー選択の数で容易に見つかる。本発明は、印刷ジョブについて説明されることになるが、しかし、本発明は印刷ジョブに限定されるわけではない。コピージョブもまた応用可能である。
【０００５】
複写システムの一実施形態によれば、各カテゴリー設定が、カテゴリー選択の選択リストを含む。そのようなリストは、複数のカテゴリー設定に対して互いに排他的である場合がある。リストは、網羅的ではなく、ユーザにとって調整可能である。各カテゴリー設定は、所定のカテゴリー選択を有する。しかし、起動後に現れる選択リストとは別のカテゴリー選択を選択するために、例えば、表示されているカテゴリー設定の上をタッチまたはクリックすることによって、表示されたカテゴリー設定を起動することによって所定のカテゴリー選択を変更することができる。複写システムのユーザが、所望のカテゴリー選択が属する正しくかつ特有のカテゴリー設定を選択することを助けるために、このことは有利である。
【０００６】
複写システムの一実施形態によれば、表示手段および起動手段が、カテゴリー設定に関連する所定のカテゴリー選択のアイコンによって、各カテゴリー設定を１つのウィンドウ上に表示するように構成されている。どのカテゴリー選択が対応するカテゴリー設定についての所定のカテゴリー選択かを即座に見てわかるようになるので、このことは有利である。
【０００７】
複写システムの一実施形態によれば、表示手段および起動手段が、ユーザコマンドにより、１つのウィンドウに複数の基本設定を表示するように構成されている。１つのウィンドウに複数の基本設定を表示することによって、ユーザは即座に基本設定の完全な全体像を得ることができ、例えば、タブによって他のウィンドウにナビゲートしなければならない。
【０００８】
複写システムの一実施形態によれば、カテゴリー設定のアイコンを起動するとき、表示手段および起動手段が、ユーザコマンドにより、カテゴリー設定の選択リストを示し、示された選択リストからカテゴリー選択を起動するように適合されている。リストからカテゴリー選択を選択することによって、印刷されることになる印刷ジョブについての別の所望のカテゴリー選択をもたらす。
【０００９】
複写システムの一実施形態によれば、表示手段および起動手段が、ユーザコマンドにより、１つのウィンドウに選択されたカテゴリー選択および複数の基本設定を同時に表示するように適合されている。１つのウィンドウに基本設定および選択されたカテゴリー選択を表示することによって、ユーザは、選択されたカテゴリー選択とその基礎になる基本設定の値との間の対応関係を即座に理解することができる。
【００１０】
複写システムの一実施形態によれば、表示手段および起動手段が、現在の基本設定の値を保存することによって、新しいカテゴリー選択を生成するように構成されている。表示手段および起動手段は、カテゴリー設定のアイコンで保存ユニットを示すように構成され得る。保存ユニットを起動すると、前記カテゴリー設定の新しいカテゴリー選択が生成可能である。保存ユニットをタッチすることによって、または保存ユニット上でクリックすることによって、保存ユニットが起動され得る。関与する基本設定の値が変更されるとき、新しいカテゴリー選択を生成することが可能であるので、このことは有利である。カテゴリー設定に属する新しいカテゴリー選択が生成される場合、その新しいカテゴリー選択は、そのカテゴリー設定に属するカテゴリー選択のリストに加えられる。
【００１１】
複写システムの一実施形態によれば、１つのカテゴリー設定が、冊子体の媒体、割付け、画像、仕上げおよび送出から一印刷態様を指示する。すべてのカテゴリー設定のカテゴリー選択の組合せは、冊子体を完全に決定するために、十分である。一方、各基本設定は、少なくとも１つのこれらの印刷態様に関連している。
【００１２】
本発明の別の態様は、完全な冊子体を説明する複数の印刷態様によって、複写システム上の印刷ジョブを印刷して、結果的に冊子体をもたらす方法であって、その方法は、複写システムで、印刷ジョブ、および印刷ジョブに関連する基本設定の値を受信するステップと、複数のカテゴリー選択を含むカテゴリー設定によって、冊子体の各印刷態様を表示するステップと、印刷ジョブの基本設定の値に対応するカテゴリー選択を各カテゴリー設定に対して定義するステップと、カテゴリー設定および対応するカテゴリー選択を同時に表示するステップと、現在のカテゴリー選択によって、印刷ジョブを印刷するステップとを含む。
【００１３】
方法の別の実施形態が、対応するカテゴリー選択を表示するアイコンによって各カテゴリー設定を表示するステップと、ユーザコマンドにより、１つのウィンドウに複数の基本設定およびカテゴリー選択を表示するステップと、ユーザコマンドにより、カテゴリー設定に対してカテゴリー選択の選択を表示するステップと、ユーザコマンドにより、カテゴリー設定のカテゴリー選択を変更し、保存するステップを更に含む。
【００１４】
本発明による複写システムが、添付の図面を参照してより詳細に説明される。
【図面の簡単な説明】
【００１５】
【図１】複写システムの１つの可能な構成を示す図である。
【図２】複写システムのための遠隔制御手段を示す図である。
【図３】複写システムの別の構成を示す図である。
【図４】印刷ジョブを処理する際、複写システムの表示手段上のウィンドウのより詳細な実施形態を示す図である。
【図５】印刷ジョブを処理する際、複写システムの表示手段上のウィンドウのより詳細な実施形態を示す図である。
【図６】印刷ジョブを処理する際、複写システムの表示手段上のウィンドウのより詳細な実施形態を示す図である。
【図７】印刷ジョブを処理する際、複写システムの表示手段上のウィンドウのより詳細な実施形態を示す図である。
【図８】印刷ジョブを処理する際、複写システムの表示手段上のウィンドウのより詳細な実施形態を示す図である。
【図９】本発明による方法の一実施形態の流れ図である。
【発明を実施するための形態】
【００１６】
図１は、ローカルネットワークＮに接続されているワークステーション１Ａ〜１Ｃを備える複写システムを示す。本発明は、ワークステーション１Ａ〜１Ｃの１つを用いて作業しており、１組の文書を備える印刷ジョブをワークステーション１Ａ〜１Ｃの１つから複写装置２に送信しようと意図するユーザが、複写装置２を利用できるというこの種の環境で使用するために特に適している。複写装置２は、ネットワークＮに接続されており、ワークステーション１Ａ〜１Ｃから印刷ジョブを受信するのに適している。ネットワークＮは、無線であってよい。複写装置２は、印刷ジョブおよびそれらの設定を表示し、選択するのに適しているユーザインターフェース７を備える。
【００１７】
一実施形態によれば、各ワークステーション１Ａ〜１Ｃは、ワークステーション上でログインするユーザが１つまたは複数の印刷ジョブを複写装置２に発信するために、プロセッサユニット、ディスプレイユニット、キーボード、およびマウスまたは任意の他の入力手段を備えるパーソナルコンピュータである。発信は、ワークステーション１Ａ〜１Ｃの１つに設置されたプリンタドライバによって行われることができる。そのようなプリンタドライバは、カテゴリー設定および基本設定を表示するように適合されることも可能である。複写装置は、小さいフォーマットの文書および／または広いフォーマットの文書向けプリンタであってよい。
【００１８】
一実施形態によれば、図２に示すように、複写装置２は、ローカルユーザインターフェース７およびハードディスクなどの保存手段４を備える制御ユニット３を備え、表示手段および起動手段に更に接続されている。表示手段および起動手段は、図２の表示手段５Ａおよび入力手段５Ｂのような別個の手段である場合がある。入力手段５Ｂは、ユーザがデジタル式文書の印刷を実行するコマンドを入力することができるためのキーボードであってよい。別法として、表示手段および起動手段は、シングルタッチまたはダブルタッチ画面の形態で実現可能である。複写装置２が本発明に関連してどのように使用されるかを更に説明することになろう。
【００１９】
制御ユニット３は、印刷ジョブの順番を待ち、印刷待ち行列が空いているかどうかを検査し、待ち行列の印刷ジョブから印刷されるために複写装置２の印刷エンジンに文書を提出することに適している。印刷ジョブの文書は、少なくとも文書が印刷エンジンによって印刷され、仕上げ手段によって仕上げられる期間、制御ユニット３内に含まれる保存手段４内に保存される。
【００２０】
図３は、ユーザワークステーション１Ａ〜１Ｃ（例えば、ＰＣ）、および集中型印刷設備３を含む別の全体的な複写システムを示し、すべてがローカルエリアネットワーク、または更にインターネットなどのネットワークＮによって接続されている。集中型印刷設備は、複数の複写装置２Ａ〜２Ｃ、およびワークステーション５を備え、ワークステーション５はサーバオペレーティングシステムまたはＰＣ用の通常オペレーティングシステムを含む場合がある。集中型印刷設備は、文書データベース６を備えることもでき、または文書データベースとして機能する中央データベース設備に接続されることもできる。集中型印刷設備内の装置は、ローカルネットワーク１１によって相互に接続されており、ローカルネットワーク１１は全体的ネットワークＮの部分である場合がある。操作中、ユーザは、ユーザのワークステーション上に文書を用意し、印刷するために、場合によってはデータベース６に保存するために、結果的に得られる文書データファイルを集中型印刷設備に提出する。印刷のためのファイルは、サーバ５によって受信され、ユーザまたは操作者の制御下で、プリンタ装置２Ａ〜２Ｃに転送される。サーバ５は、プログラムソフトウェアを作動し、そこでユーザによって提出された文書ファイルによって、冊子体を製造する印刷ジョブの印刷工程を編集し、指定するためのシステムを形成する。各複写装置２Ａ〜２Ｃは、ローカルユーザインターフェース７Ａ〜７Ｃを有する。第１の複写装置２Ａは、複写装置２Ａの頂部に取り付けられたローカルユーザインターフェース７Ａを備える。第２の複写装置２Ｂは、複写装置２Ｂの前部パネルに統合されたローカルユーザインターフェース７Ｂを備える。第３の複写装置２Ｃは、複写装置２Ｃの頂部に取り付けられたタッチスクリーンを有するローカルユーザインターフェース７Ｃを備える。
【００２１】
印刷ジョブが、図１による複写装置２または図２による複写装置２Ａ〜２Ｃに到着し、ジョブが印刷される用意ができているとき、印刷ジョブの設定が、ローカルユーザインターフェース７、ローカルユーザインターフェース７Ａ〜７Ｃにそれぞれ表示される。以下の説明は、複写装置のローカルユーザインターフェースに表示される予定の印刷ジョブの設定を想定している。しかし、例えば、適切なプリンタドライバのウィンドウ上など、ネットワークＮ内に配置されるワークステーション上の印刷ジョブの設定を示す実施形態は、本発明の範囲から除外されない。
【００２２】
本発明による複写装置は、電子写真プリンタ、インクジェットプリンタ、または任意の他の種類の複写装置であってよい。複写装置の実施形態が、受け入れ材料のシートを作り上げる。複写装置の別の実施形態は、受け入れ材料のロールを作り上げる。受け入れ材料は、紙、織物、金属板、プリント済み回路版、太陽電池板、オーバーヘッドシート材料、プラスチック、あるいは任意の他の種類の適切な受け入れ材料または基板であってよい。複写装置は、仕上げ選択を備えることができる。しかし、外部仕上げ設備の仕上げ選択は、製造システムで取り決められて、印刷されたジョブを仕上げ、印刷ジョブの送り手またはユーザの意向によって印刷されたジョブを送出することができる。
【００２３】
表示手段および起動手段７、７Ａ、７Ｂ、７Ｃは、更に精巧なものになるであろう。表示手段および起動手段は、印刷ジョブの設定の視覚的表示を画面上に表示するのに適し、かつ印刷ジョブの設定の値を選択するのに適している。図４は、本発明による表示手段および起動手段で表示されることになるウィンドウを示す。
【００２４】
ウィンドウの右頂部に、このウィンドウを出るためのバツ印記号のボタン４７が表示されている。ウィンドウの底部右コーナに、取消しボタン５０が、ウィンドウ上に作成された変化を何ら保存せずに、このウィンドウを出るために利用可能である。ウィンドウの底部右コーナで承認ボタン５１が画面上に作成された何らかの変化を確認し、これらの変化を複写装置の制御ユニットのメモリ内に保存するために利用可能である。
【００２５】
「オリジナル文書（Ｏｒｉｇｉｎａｌ  ｄｏｃｕｍｅｎｔ）」と呼ばれるウィンドウの第１のセグメントで、印刷される印刷ジョブの少なくとも１つのオリジナル文書のありうる記号的な画像４１が示されている。オリジナル文書のサイズおよび向きが、テキストフォーマット内に加えられる。
【００２６】
「製造設定（Ｐｒｏｄｕｃｔｉｏｎ  ｓｅｔｔｉｎｇ）」と呼ばれるウィンドウの第２のセグメントが、複写装置の構成を示す画像４６と、選択された送出カテゴリー選択（「分離型」）を示す送出カテゴリーボタン４Ｅと、コピー数の選択、例えばステープラ主トレイなどの出力位置、および、例えば、走査するための特定ワークステーション上の文書ボックスへの宛先の３つの追加のボックスとを備える。送出カテゴリーボタン４Ｅは、テキスト「送出（Ｄｅｌｉｖｅｒｙ）」というタイトルを有する。
【００２７】
「印刷結果（Ｐｒｉｎｔｅｄ  ｒｅｓｕｌｔ）」と呼ばれるウィンドウの第３のセグメントが、４つのカテゴリー設定ボタン４Ａ〜４Ｄを備える。媒体カテゴリーボタン４Ａは、選択された媒体カテゴリー選択を示す（すなわち、「既定値の媒体（Ｄｅｆａｕｌｔ  ｍｅｄｉａ）」。媒体カテゴリーボタン４Ａは、テキスト「媒体（Ｍｅｄｉａ）」というタイトル４２を有する。割付けカテゴリーボタン４Ｂは、選択された割付けカテゴリー選択（例えば、両面）を示す。割付けカテゴリーボタン４Ｂは、テキスト「割付け（Ｌａｙｏｕｔ）」というタイトル４３を有する。画像カテゴリーボタン４Ｃは、選択された画像カテゴリー選択（すなわち、「自動（Ａｕｔｏ）」）を示す。画像カテゴリーボタン４Ｃは、テキスト「画像（Ｉｍａｇｅ）」というタイトル４４を有する。仕上げカテゴリーボタン４Ｄは、選択された仕上げカテゴリー選択（「１ステープル、左頂部」（１ｓｔａｐｌｅ，ｔｏｐ−ｌｅｆｔ））を示す。仕上げカテゴリーボタン４Ｄは、テキスト「仕上げ（Ｆｉｎｉｓｈｉｎｇ）」というタイトル４５を有する。
【００２８】
各カテゴリー設定は、印刷ジョブの態様によって定義され、この場合、媒体、割付け、画像、仕上げ、送出であり、それぞれカテゴリー設定ボタン４Ａ〜４Ｅによって示されている。各カテゴリー設定は、複写装置の制御ユニットのメモリに保存されているカテゴリー選択のリストを有する。カテゴリー選択のリストは、互いに排他的である。カテゴリー選択は、所与の名前によって識別される。カテゴリー選択の各リストは、複写装置に対してあらかじめ定義されているが、しかし、表示手段および起動手段によって拡張可能である。
【００２９】
カテゴリーボタン４Ａ〜４Ｅを起動することによって、カテゴリー設定に関連するカテゴリー選択のリスト（メニューとも呼ばれる）が示される。図５では、割付けカテゴリーボタン４Ｂが、例えば、タッチすることまたはプッシュすることによって、起動されており、関連するカテゴリー選択リスト５５が示されている。カテゴリー選択リストの各エントリ５６、５７は、選択可能である。図５で、第２のエントリ５７（「両面」）は、それが選択されたので破線で示されている。これは、選択された割付けカテゴリー選択を示す、割付けカテゴリー選択ボタン上の画像２つのＢ（「両面」）からも明らかである。各エントリもまた、表示手段および起動手段のユーザがカテゴリー選択の意図を素早く認識するために、識別画像５８を備える。リスト５５の各エントリ５６、５７は、他のどのカテゴリー選択も選択されない限り、関連するカテゴリー選択が、実行中の印刷ジョブおよび任意の次の印刷ジョブに適用されるカテゴリー選択になるように選択され得る。
【００３０】
図４のウィンドウの第３のセグメントの下に、起動可能なメッセージ４８が示されている。メッセージ４８は、「すべての設定を表示する」と述べている。例えば、タッチまたはポイントすることによってメッセージ４８を起動する場合、複数、この場合１５個の基本設定６３〜６７が図６で示すように目視可能となる。起動可能なメッセージ４８は、より短いメッセージ６１に変化する。各基本設定は、１組の少なくとも１つの値の範囲外の値に設定可能である。複数の設定の１組の値は、カテゴリー選択を決定する。複数のカテゴリー選択は、各カテゴリー選択が基本設定の唯一の組の値によって決定されるような様式で生成され得る。基本設定は、クループに分けることができ、各グループが異なるカテゴリー設定のカテゴリー選択を決定する。しかし、異なるカテゴリー設定の選択されたカテゴリー選択を決定する基本設定は、互いに矛盾する場合がある。矛盾する場合、そのような矛盾を解決するための優先システムを有する制御システムによって、または表示手段および起動手段のユーザを勧誘して、少なくとも１つの関連するカテゴリー選択の少なくとも１つの関連する基本設定を変更するためのポップアップ式メニューによって内部で解決されるであろう。ウィンドウの複数の基本設定の頂部に第１の復元ボタン４９（図４参照）が示され、ならびにウィンドウの複数の基本設定の底部に第２の復元ボタン６２（図６参照）が示されている。第１の復元ボタン４９または第２の復元ボタン６２を起動することによって、複数の基本設定の設定の各値が対応する既定値にリセットされる。
【００３１】
基本設定の値は、図７で示すように変更可能である。例えば、設定７３（図６の６３参照）「拡大縮小（Ｓｃａｌｉｎｇ）」は、１：１から１：２に変更される。設定７３が変更されるとき、起動可能な保存アイコン７６が、割付けカテゴリーボタン内にポップアップし、選択される割付けカテゴリーのカテゴリー選択、この場合「両面」が変更されるということを示すであろう。割付けカテゴリーの新しいカテゴリー選択内の基本設定のそのような構成を保存するために、保存アイコン７６が、押され、または別の形で起動されることが可能であり、ポップアップウィンドウ７７が現れる。ポップアップウィンドウ７７では、新しいカテゴリー選択がアドレス指定され得る。割付けカテゴリーのリストのカテゴリー選択がすでに、まさに新しい設定の組合せを備える場合、特定カテゴリー選択の名前が、そのカテゴリー選択を新しい基本設定に置換するために、ポップアップウィンドウ７７内に表示されるであろう。割付けカテゴリーのリストのどのカテゴリー選択もこの新しい組合せを備えない場合、ポップアップウィンドウ７７はカテゴリー選択のための新しい名前を要求するであろう。ポップアップウィンドウ７７の承認ボタン上をクリックすることによって、新しいカテゴリー選択が、割付けカテゴリーに属するカテゴリー選択のリスト内に保存されるであろう。ポップアップウィンドウ７７の取消しボタンをクリックすることによって、新しいカテゴリー選択はまったく保存されず、基本設定７７の以前の値、すなわち「１：１」が再び示されるであろう。そうすることによって、ユーザは、どのカテゴリー選択によってもまだ包含されなかった設定の値の１組を必要とする文書を印刷するために役立つ新しいカテゴリー選択を生成することができる。
【００３２】
「製造設定（Ｐｒｏｄｕｃｔｉｏｎ  ｓｅｔｔｉｎｇｓ）」と呼ばれる、図４のウィンドウの第２のセグメントは、複写装置の構成を示す画像４６を備える。画像は、どの複写装置が接続されているのかを認識するのに役立つことができる。画像上をクリックすることができ、図８は画像４６をクリックした結果を示す。画像上をクリックすると、複写装置で拡大し、複写装置の最も関連する部分８１をより綿密に表示する。この複写装置についての関連する情報８１は、実際の位置の中の画像４６で表示され、仮想プリンタ体験をもたらす。プリンタ情報の例は、トナー状態、媒体利用性、ステープル、紙詰まり／エラーおよび送出位置である。全体的複写装置構成の縮小版８４が、２つの側部の矢印８２、８３によって操作可能であって、複写装置の目視可能部分を決定する。この複写装置では、トナーレベル８７が関連部分８１の下方に３３％であると示されている。破線位置８５は、例えば、「プリンタの使用準備ができている（Ｐｒｉｎｔｅｒ  ｒｅａｄｙ  ｆｏｒ  ｕｓｅ）」という意味のオランダ語「Ｐｒｉｎｔｅｒ  ｋｌａａｒ  ｖｏｏｒ  ｇｅｂｒｕｉｋ」など、使用者情報メッセージのために使用される。情報アイコン８６がメッセージの前部に配置されている。重要な警告／エラーの場合、アラートバーは、位置８５上のウィンドウの第２のセグメント内に画像で目視可能となり、複写装置の状態に更に注意を引きつけることができる。この場合、情報アイコン８６は警告アイコンによって置換することができる。アラートバー上でクリックした後、プリンタの最も関連する部分が再び目視可能となるが、このとき、警告について追加の詳細が加わる。追加の詳細が、追加情報ウィンドウ内に表示される。情報が関連する（例えば、警告／エラーのために）ものになるが、一方、追加情報ウィンドウが開かれており、関連情報に関係する新しいイベントがその時複写装置の目視可能部分にない場合、制御手段上のソフトウェアは、複写装置の目視可能部分を自動的に変更して、新しいイベントを目視可能とすることができる。
【００３３】
本発明の別の態様は、完全な冊子体を説明する複数の印刷態様によって、複写システム上の印刷ジョブを印刷して、結果的に冊子体をもたらす方法である。そのような方法の実施形態が、図９に示される。実施形態によれば、方法は、複写システムで、印刷ジョブ、および印刷ジョブに関連する基本設定の値を受け取る第１のステップＳ９１０を含む。第２のステップＳ９２０で、冊子体の各印刷態様は、複数のカテゴリー選択を含むカテゴリー設定によって表示される。決定ステップＳ９２５で、第３のステップＳ９３０がすべてのカテゴリー設定に適用されたかどうかが検査される。カテゴリー設定がやはり残っている場合、第３のステップＳ９３０が実行される。第３のステップＳ９３０は、特定のカテゴリー設定に対して、印刷ジョブの基本設定の値に対応するカテゴリー選択を定義する。第４のステップＳ９４０で、カテゴリー設定および対応するカテゴリー選択が、ユーザに同時に表示される。最後のステップＳ９５０で、印刷ジョブが現在のカテゴリー選択によって印刷される。
【００３４】
本発明による方法は、少なくとも１つの以下の追加のステップを含むことができる。第１の追加のステップによれば、各カテゴリー設定が、その対応するカテゴリー選択を表すアイコンによって示される。第２の追加のステップによれば、複数の基本設定およびカテゴリー選択が、ユーザコマンドにより１つのウィンドウに表示される。第３の追加のステップによれば、カテゴリー設定に対するカテゴリー選択の選択が、ユーザコマンドにより表示される。最後の追加のステップによれば、カテゴリー設定のカテゴリー選択がユーザコマンドにより変更され、保存される。
【図１】
2014514184.tif 000003
【図２】
2014514184.tif 000004
【図３】
2014514184.tif 000005
【図４】
2014514184.tif 000006
【図５】
2014514184.tif 000007
【図６】
2014514184.tif 000008
【図７】
2014514184.tif 000009
【図８】
2014514184.tif 000010
【図９】
2014514184.tif 000011
【国際調査報告】
2014514184.tif 000012
2014514184.tif 000013